【手続補正書】
【提出日】平成28年8月29日(2016.8.29)
【手続補正１】
【補正対象書類名】明細書
【補正対象項目名】発明の名称
【補正方法】変更
【補正の内容】
【発明の名称】インク、インクセット、インクジェット記録方法、インクジェット記録用ヘッド、及びインクジェット記録装置
【手続補正２】
【補正対象書類名】明細書
【補正対象項目名】０００１
【補正方法】変更
【補正の内容】
【０００１】
本発明は、インク、インクセット、インクジェット記録方法、インクジェット記録用ヘッド、及びインクジェット記録装置に関する。
【手続補正３】
【補正対象書類名】明細書
【補正対象項目名】０００９
【補正方法】変更
【補正の内容】
【０００９】
したがって、本発明は、上述の問題に鑑みてなされたものである。即ち、本発明の目的は、例えば、サーマル方式に用いた場合に、インクジェット記録用ヘッドにおけるヒーター部分での顔料のコゲーションを防止することにより、水性インク中の顔料の分散性を安定に保ち、優れた着弾精度を実現することが可能な、インク、複数種の水性インクを備えたインクセット、インクジェット記録方法、インクジェット記録用ヘッド、及びインクジェット記録装置を提供することにある。
【手続補正４】
【補正対象書類名】明細書
【補正対象項目名】００１１
【補正方法】変更
【補正の内容】
【００１１】
すなわち、本発明によれば、以下に示すインク、インクセット、インクジェット記録方法、インクジェット記録用ヘッド、及びインクジェット記録装置が提供される。
［１］顔料と、前記顔料を分散させる（メタ）アクリル酸エステル系ランダム共重合体とを含有した水性インクを、複数種の前記水性インクのセットとして備えたインクセットであって、前記水性インクに含有された前記（メタ）アクリル酸エステル系ランダム共重合体は、それぞれ１００〜１６０ｍｇＫＯＨ／ｇの酸価を有し、複数種の前記水性インクのうちの１種は、前記顔料としてフタロシアニン化合物を含有するシアンインクであり、かつ前記シアンインクは、それに含有された前記（メタ）アクリル酸エステル系ランダム共重合体が、前記シアンインク以外の前記水性インクに含有された前記（メタ）アクリル酸エステル系ランダム共重合体に対して、０．７０〜０．９５倍の酸価を有するものであることを特徴とするインクセット。
【手続補正５】
【補正対象書類名】明細書
【補正対象項目名】００２１
【補正方法】変更
【補正の内容】
【００２１】
［１１］複数種の水性インクをそれぞれ収容する複数の水性インク収容部と、前記水性インクを吐出するインクジェット記録用ヘッドとを備えたインクジェット記録装置であって、前記水性インクは、前記［１］〜［６］のいずれかに記載のインクセットを構成する水性インクであり、前記インクジェット記録用ヘッドは、前記［９］又は［１０］に記載のインクジェット記録用ヘッドであるインクジェット記録装置。
［１２］シアンインク以外の水性インクを少なくとも含むインクセット中に組み合わせて用いるための、シアンインクであって、
前記シアンインクおよび前記シアンインク以外の水性インクが、顔料を分散させる分散剤として、酸価１００〜１６０ｍｇＫＯＨ／ｇの（メタ）アクリル酸エステル系ランダム共重合体をそれぞれ含有し、
前記シアンインクが、顔料としてフタロシアニン化合物を含有し、かつ、
前記シアンインクに含まれる前記（メタ）アクリル酸エステル系ランダム共重合体が、前記シアンインク以外の水性インクに含まれる前記（メタ）アクリル酸エステル系ランダム共重合体に対して０．７０〜０．９５倍の酸価を有することを特徴とする、シアンインク。
［１３］前記シアンインク以外の水性インクが、顔料としてカーボンブラックまたはキナクリドン化合物を含有する［１２］に記載のシアンインク。
［１４］前記（メタ）アクリル酸エステル系ランダム共重合体が、それぞれ共通のモノマー種から構成されたものであるとともに、前記モノマー種の配合比率を変更することによって酸価が調整されたものである［１２］又は［１３］に記載のシアンインク。
［１５］前記インクセットがさらに、別のシアンインク以外の水性インクを含み、前記インクは、それぞれ１．５〜５．０ｍＰａ・ｓの粘度を有し、かつ、それぞれのインク間の粘度の差が０．５ｍＰａ・ｓ以下である［１２］〜［１４］のいずれか１項に記載のシアンインク。
［１６］前記インクセットがさらに、別のシアンインク以外の水性インクを含み、前記インクは、それぞれ２５〜４５ｍＮ／ｍの表面張力を有し、かつ、それぞれのインク間の表面張力の差が５ｍＮ／ｍ以下である［１２］〜［１５］のいずれか１項に記載のシアンインク。
［１７］シアンインクを少なくとも含むインクセット中に組み合わせて用いるための、シアンインク以外の水性インクであって、
前記シアンインクおよび前記シアンインク以外の水性インクが、顔料を分散させる分散剤として、酸価１００〜１６０ｍｇＫＯＨ／ｇの（メタ）アクリル酸エステル系ランダム共重合体をそれぞれ含有し、
前記シアンインク以外の水性インクが、顔料としてカーボンブラックまたはキナクリドン化合物を含有し、
前記シアンインクが、顔料としてフタロシアニン化合物を含有し、かつ、
前記シアンインクに含まれる前記（メタ）アクリル酸エステル系ランダム共重合体が、前記シアンインク以外の水性インクに含まれる前記（メタ）アクリル酸エステル系ランダム共重合体に対して０．７０〜０．９５倍の酸価を有することを特徴とする、シアンインク以外の水性インク。
［１８］前記（メタ）アクリル酸エステル系ランダム共重合体が、それぞれ共通のモノマー種から構成されたものであるとともに、前記モノマー種の配合比率を変更することによって酸価が調整されたものである［１７］に記載のシアンインク以外の水性インク。
［１９］前記インクセットがさらに、別のシアンインク以外の水性インクを含み、前記水性インクは、それぞれ１．５〜５．０ｍＰａ・ｓの粘度を有し、かつ、それぞれのインク間の粘度の差が０．５ｍＰａ・ｓ以下である［１７］または［１８］に記載のシアンインク以外の水性インク。
［２０］前記インクセットがさらに、別のシアンインク以外の水性インクを含み、前記水性インクは、それぞれ２５〜４５ｍＮ／ｍの表面張力を有し、かつ、それぞれのインク間の表面張力の差が５ｍＮ／ｍ以下である［１７］〜［１９］のいずれか１項に記載のシアンインク以外の水性インク。
［２１］サーマル方式により記録ヘッドから吐出されるインクジェット記録方法に用いられる［１２］〜［２０］のいずれか１項に記載の水性インク。
【手続補正６】
【補正対象書類名】明細書
【補正対象項目名】００２２
【補正方法】変更
【補正の内容】
【００２２】
本発明によれば、例えば、サーマル方式に用いた場合に、インクジェット記録用ヘッドにおけるヒーター部分での顔料のコゲーションを防止することにより、水性インク中の顔料の分散性を安定に保ち、優れた着弾精度を実現することが可能な、インク、複数種の水性インクを備えたインクセット、インクジェット記録方法、インクジェット記録用ヘッド、及びインクジェット記録装置が提供される。
【手続補正７】
【補正対象書類名】特許請求の範囲
【補正対象項目名】全文
【補正方法】変更
【補正の内容】
【特許請求の範囲】
【請求項１】
顔料と、前記顔料を分散させる（メタ）アクリル酸エステル系ランダム共重合体とを含有した水性インクを、複数種の前記水性インクのセットとして備えたインクセットであって、
前記水性インクに含有された前記（メタ）アクリル酸エステル系ランダム共重合体は、それぞれ１００〜１６０ｍｇＫＯＨ／ｇの酸価を有し、
複数種の前記水性インクのうちの１種は、前記顔料としてフタロシアニン化合物を含有するシアンインクであり、かつ
前記シアンインクは、それに含有された前記（メタ）アクリル酸エステル系ランダム共重合体が、前記シアンインク以外の前記水性インクに含有された前記（メタ）アクリル酸エステル系ランダム共重合体に対して、０．７０〜０．９５倍の酸価を有するものであることを特徴とするインクセット。
【請求項２】
複数種の前記水性インクのうち、前記シアンインク以外の前記水性インクは、前記顔料としてカーボンブラックを含有するブラックインク及び前記顔料としてキナクリドン化合物を含有するマゼンタインクを含む請求項１に記載のインクセット。
【請求項３】
複数種の前記水性インクに含有された前記（メタ）アクリル酸エステル系ランダム共重合体は、それぞれ共通のモノマー種から構成されたものであるとともに、前記モノマー種の配合比率を変更することによって酸価が調整されたものである請求項１又は２に記載のインクセット。
【請求項４】
複数種の前記水性インクは、それぞれ１．５〜５．０ｍＰａ・ｓの粘度を有し、かつ、それぞれの間の粘度の差が０．５ｍＰａ・ｓ以下である請求項１〜３のいずれか１項に記載のインクセット。
【請求項５】
複数種の前記水性インクは、それぞれ２５〜４５ｍＮ／ｍの表面張力を有し、かつ、それぞれの間の表面張力の差が５ｍＮ／ｍ以下である請求項１〜４のいずれか１項に記載のインクセット。
【請求項６】
サーマル方式により記録ヘッドから吐出されるインクジェット記録方法に用いられる請求項１〜５のいずれか１項に記載のインクセット。
【請求項７】
複数のノズルが配列された複数のノズル列を備えた記録ヘッドから複数種の水性インクをサーマル方式により吐出させるインクジェット記録方法であって、
前記ノズルは、それぞれ１００〜３５０μｍ2の開口面積を有し、かつ
複数種の前記水性インクは、請求項１〜６のいずれか１項に記載のインクセットを構成する水性インクであるインクジェット記録方法。
【請求項８】
前記ノズル列は、１列当たり１２００個以上の前記ノズルを有し、かつ、２インチ以上の長さを有する請求項７に記載のインクジェット記録方法。
【請求項９】
複数のノズルが配列された複数のノズル列を備え、前記ノズル列から複数の水性インクをサーマル方式により吐出させるインクジェット記録用ヘッドであって、
前記ノズルは、それぞれ１００〜３５０μｍ2の開口面積を有し、前記ノズル列は、１列当たり１２００個以上の前記ノズルを有するとともに、２インチ以上の長さを有し、かつ前記水性インクは、請求項１〜６のいずれか１項に記載のインクセットを構成する水性インクであるインクジェット記録用ヘッド。
【請求項１０】
複数のノズルが配列された複数のノズル列を備え、前記ノズル列から複数の水性インクをサーマル方式により吐出させるインクジェット記録用ヘッドであって、
前記ノズル列として複数のノズル流路が連通した共通液室と、前記共通液室と連通した開口部と、前記開口部と連通したメイン液体供給室と、前記メイン液体供給室と連通する液体供給路と、前記液体供給路と連通する液体供給室と、前記液体供給室を、液体供給の際の流れに沿って上流側より第一液体供給室と、第二液体供給室とに分離するように配設された供給フィルターと、前記メイン液体供給室の一部に設けられた気液分離部と、前記気液分離部と連通する空気室と、を備え、
前記ノズル流路と、前記共通液室と、前記開口部と、前記メイン液体供給室と、前記液体供給路と、前記液体供給室と、前記供給フィルターと、前記気液分離部と、前記空気室とが、前記ノズル流路の配列方向と前記液体の吐出方向を含む平面に対して、平行平面上に配置され、前記メイン液体供給室と、前記液体供給路と、前記供給フィルターと、前記気液分離部と、前記空気室とが、各々積層することなく配置されている請求項９に記載のインクジェット記録用ヘッド。
【請求項１１】
複数種の水性インクをそれぞれ収容する複数の水性インク収容部と、前記水性インクを吐出するインクジェット記録用ヘッドとを備えたインクジェット記録装置であって、
前記水性インクは、請求項１〜６のいずれか１項に記載のインクセットを構成する水性インクであり、前記インクジェット記録用ヘッドは、請求項９又は１０に記載のインクジェット記録用ヘッドであるインクジェット記録装置。
【請求項１２】
シアンインク以外の水性インクを少なくとも含むインクセット中に組み合わせて用いるための、シアンインクであって、
前記シアンインクおよび前記シアンインク以外の水性インクが、顔料を分散させる分散剤として、酸価１００〜１６０ｍｇＫＯＨ／ｇの（メタ）アクリル酸エステル系ランダム共重合体をそれぞれ含有し、
前記シアンインクが、顔料としてフタロシアニン化合物を含有し、かつ、
前記シアンインクに含まれる前記（メタ）アクリル酸エステル系ランダム共重合体が、前記シアンインク以外の水性インクに含まれる前記（メタ）アクリル酸エステル系ランダム共重合体に対して０．７０〜０．９５倍の酸価を有することを特徴とする、シアンインク。
【請求項１３】
前記シアンインク以外の水性インクが、顔料としてカーボンブラックまたはキナクリドン化合物を含有する請求項１２に記載のシアンインク。
【請求項１４】
前記（メタ）アクリル酸エステル系ランダム共重合体が、それぞれ共通のモノマー種から構成されたものであるとともに、前記モノマー種の配合比率を変更することによって酸価が調整されたものである請求項１２又は１３に記載のシアンインク。
【請求項１５】
前記インクセットがさらに、別のシアンインク以外の水性インクを含み、前記インクは、それぞれ１．５〜５．０ｍＰａ・ｓの粘度を有し、かつ、それぞれのインク間の粘度の差が０．５ｍＰａ・ｓ以下である請求項１２〜１４のいずれか１項に記載のシアンインク。
【請求項１６】
前記インクセットがさらに、別のシアンインク以外の水性インクを含み、前記インクは、それぞれ２５〜４５ｍＮ／ｍの表面張力を有し、かつ、それぞれのインク間の表面張力の差が５ｍＮ／ｍ以下である請求項１２〜１５のいずれか１項に記載のシアンインク。
【請求項１７】
シアンインクを少なくとも含むインクセット中に組み合わせて用いるための、シアンインク以外の水性インクであって、
前記シアンインクおよび前記シアンインク以外の水性インクが、顔料を分散させる分散剤として、酸価１００〜１６０ｍｇＫＯＨ／ｇの（メタ）アクリル酸エステル系ランダム共重合体をそれぞれ含有し、
前記シアンインク以外の水性インクが、顔料としてカーボンブラックまたはキナクリドン化合物を含有し、
前記シアンインクが、顔料としてフタロシアニン化合物を含有し、かつ、
前記シアンインクに含まれる前記（メタ）アクリル酸エステル系ランダム共重合体が、前記シアンインク以外の水性インクに含まれる前記（メタ）アクリル酸エステル系ランダム共重合体に対して０．７０〜０．９５倍の酸価を有することを特徴とする、シアンインク以外の水性インク。
【請求項１８】
前記（メタ）アクリル酸エステル系ランダム共重合体が、それぞれ共通のモノマー種から構成されたものであるとともに、前記モノマー種の配合比率を変更することによって酸価が調整されたものである請求項１７に記載のシアンインク以外の水性インク。
【請求項１９】
前記インクセットがさらに、別のシアンインク以外の水性インクを含み、前記水性インクは、それぞれ１．５〜５．０ｍＰａ・ｓの粘度を有し、かつ、それぞれのインク間の粘度の差が０．５ｍＰａ・ｓ以下である請求項１７または１８に記載のシアンインク以外の水性インク。
【請求項２０】
前記インクセットがさらに、別のシアンインク以外の水性インクを含み、前記水性インクは、それぞれ２５〜４５ｍＮ／ｍの表面張力を有し、かつ、それぞれのインク間の表面張力の差が５ｍＮ／ｍ以下である請求項１７〜１９のいずれか１項に記載のシアンインク以外の水性インク。
【請求項２１】
サーマル方式により記録ヘッドから吐出されるインクジェット記録方法に用いられる請求項１２〜２０のいずれか１項に記載の水性インク。